(57)【特許請求の範囲】
【請求項１】
棚板上に置いた商品を区分けすると共に商品の移動をガイドする仕切り板を、前記棚板に着脱自在かつ前記商品の移動方向に直交する方向に移動可能に設置し、前記仕切り板に商品引出し具を前記商品の移動方向に移動自在に設けると共に、該商品引出し具のストッパー機構を有して前記棚板の商品取出部位近傍で前記商品引出し具を停止させるものであって、前記仕切り板を上部下部に分割し、上部及び下部仕切り板のいずれか一方にスライド溝を設け相互にスライド自在にして、前記下部仕切り板は前記棚板に着脱自在かつ前記商品の移動方向に直交する方向に移動可能に設置すると共に、前記上部仕切り板を前記商品引出し具としたことを特徴とする商品陳列具。
【請求項２】
前記下部仕切り板下端に水平板を設け自立型とした請求項１記載の商品陳列具。
【請求項３】
前記ストッパー機構は前記商品引出し具の後方に設けた押し板と前記下部仕切り板に設けた商品落下防止具で構成される請求項１又は２記載の商品陳列具。
【請求項４】
前記仕切り板における商品取出部位の反対側の端部と前記商品引出し具の押し板側の端部との間に引張りバネを設けた請求項３記載の商品陳列具。
【発明の詳細な説明】
【０００１】
【発明の属する技術分野】
本発明は、主にコンビニエンスストアーやスーパー等の店内に設置されている商品陳列ケースの棚等に載置することにより用いられ、商品の手動前出しが容易に出来る商品陳列具に関する。
【０００２】
【従来の技術】
従来、コンビニエンスストアーやスーパー等では、図１４に示すような商品陳列ケース５０の各商品陳列棚５１に、多種類の商品５２が豊富に陳列されている。商品５２は手前の方から売れてゆくため、必然的に手前の部分が空くことになるから、奥にある商品５２を手前に出す所謂前出し作業が必要となる。この為、種々の自動又は半自動の前出し機能を備えた商品陳列棚又は商品陳列具が多数提案されている。例えば、▲１▼自動前出し機能を有するものとしては、収納ケース５３の底部に多数のローラ５４が商品陳列ケース５０の扉５５側に下り勾配となるように取り付けられた商品陳列具５６がある（特開平８−２４０９１号公報参照）。この商品陳列具５６は、商品５２を仕切る機能を有する仕切り板５７、５７における幅寸法が決められているから、その幅寸法に適合する商品５２のみが利用できる。従って、商品５２のサイズに合わせた複数種類の商品陳列具５６を取り揃えておく必要がある。
【０００３】
▲２▼手動前出し機能を有するものとしては、図１５に示すように、仕切り板５７の下端を棚板５８の上面に設けたスライド溝５９に嵌めると共に、仕切り板５７の後端に押し板６０を連設し、この押し板６０に設けた爪片６１をスライド溝５９に嵌めてなり、棚板５８上の奥に残った商品５２を仕切り板５７を引き寄せることにより、前出しできる商品陳列具６２がある（実公平５−２７８９４号公報参照）。
【０００４】
また、▲３▼手動前出し機能を有するものとしては、図１６に示すように、底板５８ａの一側に仕切り板５７ａを起立させて連設し、この仕切り板５７ａにスライド溝５９ａを設け、このスライド溝５９ａに押し板６０ａを設けた商品引出し具６３を嵌めてなり、底板５８ａ上の奥に残った商品を商品引出し具６３を引き寄せることにより、前出しできる商品陳列具６４がある（実開昭６３−１４０２５４号公報参照）。
【０００５】
更に、▲４▼手動前出し機能を有するものとしては、図１７に示すように、商品落下防止枠のある棚板５８ｂ上にＬ型仕切り板６５を配置し、このＬ型仕切り板６５に押し板６０ｂ及び商品引出し具６３ｂをそれぞれ嵌合することでガイドする案内板６６を接着することにより設け、かつ商品引出し具６３に衝合片６７を設けて押し板６０ｂを後押し可能に構成してなり、Ｌ型仕切り板６５上の奥に残った商品５２を商品引出し具６３ｂを引き寄せることにより、衝合片６７を介して押し板６０ｂを後押して前出しできるようにした商品陳列具６８がある（実開平４−１２５７６１号公報参照）。
【０００６】
【発明が解決しようとする課題】
従来の▲１▼商品陳列具５６は、上記の通り複数種類のものを取り揃えておく必要があるから、その費用が高く管理も煩雑となりやすい。また、この商品陳列具５６はサイズが決まっているから、商品陳列ケース５０内の各商品陳列棚５１の模様替えをするときの自由度が低く、やりずらい。更に、この商品陳列具５６は、商品５２毎に１台必要になり、その製作費用が高くなりがちである。
▲２▼の商品陳列具６２は、仕切り板５７に連設した押し板６０の爪片６１をスライド溝５９に単に嵌めているだけだから、不用意に仕切り板５７を引き寄せると、仕切り板５７は棚板５８上の商品５２と共に棚板５８から脱落してしまう恐れがある。
▲３▼の商品陳列具６４は、ユニットになっているが、商品陳列棚５１への止め方によっては、勢い良くあるいは不用意に商品引出し具６３を引き寄せたりすると、底板５８ａ上の商品５２と共にユニット全体が、商品陳列棚５１から脱落してしまう恐れがある。
▲４▼の商品陳列具６８も、ユニットになっているが、棚板５８上に単に載せてあるだけだから、商品５２が円筒状の缶ジュース等を前出しする時や、商品引出し具６３を斜め方向に強く引き寄せてしまった時に、商品陳列具６８がずれてしまい、陳列してある商品５２がばらばらになってしまう。また、ガイドする案内板の厚みがあるため、商品の陳列容積が減少するという問題がある。
【０００７】
従って、本発明の目的は、様々な商品サイズに対応出来、棚板上の商品陳列容積を大きく採れ、商品がバラバラになったり、商品と共に構成部品が棚等から脱落する様なことがなく、商品を確実に前出しすることができる商品陳列具を提供することにある。
【０００８】
【課題を解決するための手段】
かかる状況において、本発明者は、鋭意検討を行った結果、棚板にこれの上に置いた商品の区分けと移動をガイドする仕切り板を、商品の移動方向に直交する方向に移動可能に設置し、この仕切り板に商品引出し具を商品の前出し方向に移動自在に設けて、商品引出し具をストッパー機構により商品取出部位で停止できるようにすれば、様々な商品サイズに対応出来、棚板上の商品がバラバラになったり、商品と共に構成部品が棚等から脱落する様なことがなく、商品を確実に前出しすることができることを見い出し、本発明を完成するに至った。
【０００９】
すなわち、本請求項１に係る発明は、棚板上に置いた商品を区分けすると共に商品の移動をガイドする仕切り板を、前記棚板に着脱自在かつ前記商品の移動方向に直交する方向に移動可能に設置し、前記仕切り板に商品引出し具を前記商品の移動方向に移動自在に設けると共に、該商品引出し具のストッパー機構を有して前記棚板の商品取出部位近傍で前記商品引出し具を停止させるものであって、前記仕切り板を上部下部に分割し、上部及び下部仕切り板のいずれか一方にスライド溝を設け相互にスライド自在にして、前記下部仕切り板は前記棚板に着脱自在かつ前記商品の移動方向に直交する方向に移動可能に設置すると共に、前記上部仕切り板を前記商品引出し具としたことを特徴とする商品陳列具を提供するものである。かかる構成を採ることにより、棚板上に載せる商品のサイズに合わせて仕切り板を移動して設置し、仕切り板に設けた商品引出し具を手前に引けば商品を前出しでき、ストッパー機構により商品引出し具は商品取出部位近傍で停止するから脱落しない。また、仕切り板の一部を商品引出し具として機能させても、商品を確実に前出しすることが出来る。
【００１３】
また、本請求項２に係る発明は、前記下部仕切り板下端に水平板を設け自立型とした商品陳列具を提供するものである。かかる構成を採ることにより、上記機能に加え、下部仕切り板を自立型としても、振れが無くなって設置し易くなり、商品を安定、確実に前出しすることが出来る。
【００１６】
また、本請求項３に係る発明は、前記ストッパー機構は前記下部仕切り板に設けた商品落下防止具である商品陳列具を提供するものである。かかる構成を採ることにより、下部仕切り板に設けた商品落下防止具によっても、商品引出し具を脱落させない。
【００１７】
また、本請求項４に係る発明は、前記仕切り板と前記商品引出し具との間に引張りバネを設けた商品陳列具を提供するものである。かかる構成を採ることにより、商品引出し具を引き出して商品を取り出した後、商品引出し具を放すだけで元に戻る。
【００１８】
【発明の実施の形態】
以下、実施の形態を挙げて本発明を図１〜１３に基づいて詳述する。
図１は本発明の実施形態である商品陳列具を示す斜視図、図２は商品陳列具を構成する仕切り板を示す斜視図、図３は図２のＡ−Ａ線に沿う断面図である。図において、商品陳列具１は、商品を手動前出しするもので、棚板２上に置いた商品３を区分けすると共に商品３の移動をガイドする仕切り板４を、棚板２に着脱自在かつ商品３の移動方向に直交する方向に移動可能に設置し、仕切り板４に商品引出し具５を商品３の移動方向に移動自在に設けると共に、商品引出し具５のストッパー機構６を有して棚板２の商品取出部位Ｇ近傍で商品引出し具５を停止させるものである。
【００１９】
前記棚板２は、矩形状をなし商品陳列ケースの各段の止め金上に載置するもので、多数の商品３の重量に耐えうるように、強度面から箱状になっている。棚板２の商品取出部位Ｇ近傍には仕切り板４を着脱自在かつ商品３の移動方向に直交する方向に移動可能にするための長溝１０が切られ、商品取出部位Ｇの反対側端部には上記止め金上に掛けるための切欠１１が設けられている。なお、図１中２ａは商品名等の表示部である。商品３は円筒状の缶飲料、直方体の紙パック飲料、瓶入り飲料など限定されない。
【００２０】
前記仕切り板４は、平板１２にスライド溝１３が切られ、このスライド溝１３内に前記商品引出し具５が移動自在に嵌められている。この商品引出し具５は、バー１４の一端に引き出すのに都合良いように凹み１５が設けられ、他端に商品３を押すための押し板１６が設けられ、凹み１５を手指で掴みバー１４を引き出せば押し板１６により商品３を押し前出しできる。そして、その仕切り板４の商品取出部位Ｇ側となる端部には商品落下防止具１７が取り付けられ、その下端部に前記棚板２の長溝１０に沿い嵌めることのできる凸部１８が設けられている。従って、仕切り板４は棚板２上で図１中矢線Ｂ方向に自在に移動出来る。
【００２１】
前記ストッパー機構６は、図１における商品陳列具１の場合、押し板１６と相まって商品落下防止具１７により構成される。すなわち、この商品陳列具１は、仕切り板４から商品引出し具５を引き出して行き、商品３が有っても無くても押し板１６が最終的に商品落下防止具１７に当たり止まるから、それ以上引き出せず商品３と共に商品引出し具５が脱落することがないからである。
【００２２】
また、仕切り板４は、商品取出部位Ｇ側の端部ばかりかその反対側にも凸部１８付きの商品落下防止具１７を取り付け、それに応じて前記棚板２にも長溝１０を設けても良く（図では省略）、その他に図１に示す仕切り板４ａ、４ｂ、４ｃのような形態がある。仕切り板４ａは、商品取出部位Ｇの反対側となる端部にマグネット板１９を設け、棚板２に吸い付けてその両端で仕切り板４ａの設置位置を調整出来るようにした点で、仕切り板４と異なる。一方、仕切り板４ｂは、商品取出部位Ｇの反対側の端部と商品引出し具５の押し板１６側の端部との間に引張りバネ２０を掛け、商品引出し具５を引き出し商品３を前出しした後、手指を放せば引張りバネ２０のばね力により商品引出し具５を元に戻せる点で、仕切り板４と異なる。仕切り板４ｃは、図１の棚板２の左端に設置するもので、仕切り板４から商品引出し具５を除いたもので、平板１２の端部に商品落下防止具１７が取り付けられ、その下端部に棚板２の長溝１０に沿い嵌めることのできる凸部１８が設けられている。
【００２３】
次に、上記構成からなる商品陳列具１の使用方法を説明する。
まず、棚板２、必要数の仕切り板４あるいは仕切り板４ａ、４ｂ、更に仕切り板４ｃを用意する。次に、棚板２の長溝１０に必要数の仕切り板４あるいは仕切り板４ａ、４ｂを嵌め、最後に仕切り板４ｃを嵌め、これらを図１中矢線Ｂ方向に移動して棚板２上の商品３のサイズに合わせて設置する。設置した仕切り板４あるいは仕切り板４ａ、４ｂ、４ｃ間に商品３を足して行き満たす。そして、取り出したい商品３が商品取出部位Ｇから離れた奥にある時は、商品引出し具５の凹み１５を手指で掴み引き出せば、押し板１６により商品３を押すことになり、商品取出部位Ｇ近傍まで前出しすると商品３が商品落下防止具１７に当たり、それ以上商品引出し具５を引き出せなくなるから、商品３を取り出した後、商品引出し具５を元に戻す。
【００２４】
図４は本発明の他の実施形態である商品陳列具１ａを示し、図１〜３に示す商品陳列具１との相違点は、棚板２の長溝１０及び仕切り板４の商品落下防止具１７の代わりに、棚板２の両端にピッチ板２１、２１を設け、そのピッチ２１ａに商品３のサイズに合わせて仕切り板４ｄの両端を差し込み、設置する点にある。その他の構成、作用は図１〜３の実施形態とほぼ同様であるから、図面に符号を付してその説明を省略する。なお、このピッチ板２１を棚板２の上面に所謂レールを敷くように設け、そのピッチ２１ａに仕切り板４ｄの下端を差し込むようなものでも良い。
【００２５】
図５は本発明の他の実施形態である商品陳列具１ｂを示し、図１〜３に示す商品陳列具１との相違点は、棚板２の長溝１０及び仕切り板４の商品落下防止具１７の代わりに、既に棚板２上に形成されている線材製仕切板を取付ける穴２２、２２に商品３のサイズに合わせて仕切り板４ｅの両端にある移動自在な突起付き板２３を差し込み、設置する点にある。
【００２６】
図６は本発明の他の実施形態である商品陳列具１ｃを示し、商品陳列具１ｃと、図１〜３に示す商品陳列具１との相違点は、棚板２の長溝１０及び仕切り板４の商品落下防止具１７の代わりに、仕切り板４ｆの端部に設けた係合片２４を、商品３のサイズに合わせて、棚板２の商品取出部位Ｇにおける反対側の端部２５に係合させ、設置する点にある。
【００２７】
図７は本発明の他の実施形態である商品陳列具１ｄを示し、商品陳列具１ｄと、図１〜３に示す商品陳列具１との相違点は、棚板２の長溝１０及び仕切り板４の商品落下防止具１７の代わりに、仕切り板４ｇの両端部に孔２６を設け、この孔２６に丸棒２７を通し、丸棒２７を棚板２に固定する。次に、仕切り板４ｇに一体に形成される筒体２８を商品３のサイズに合わせて丸棒２７上を移動させ、調整しながら設置する点にある。また、筒体２８は仕切り板４ｇと別体とし、これを移動させる方法でもよい。
【００２８】
図８、９は本発明の他の実施形態である商品陳列具８を示し、商品陳列具８と、図１〜３に示す商品陳列具１との相違点は、下端に水平板３０を設けて自立型の仕切り板３１とし、この仕切り板３１の前方端に設けた突起３２を、棚板２の商品取出部位Ｇ側の端部に設けた凹溝板３３に嵌め、仕切り板３１を図中Ｂ方向に移動可能として、更に凹溝板３３の外側の棚板２に設けた長溝３４に商品落下防止具１７ａを嵌め、また、押し板１６ａが水平板３０に案内され、傾斜して自立できない商品３に対応出来るようになっている点にある。従って、この商品陳列具８におけるストッパー機構６ａは、押し板１６ａと相まって棚板２に設けた商品落下防止具１７ａにより構成される。この押し板１６ａは商品引き出し具５とは別体であり、水平板３０に案内された後は、置き去り状態にされる。
【００２９】
そして、仕切り板３１は、これ以外に、図８に示す仕切り板３１ａ、３１ｂのような形態がある。仕切り板３１ａは、商品取出部位Ｇの反対側の端部と商品引出し具５の押し板１６ａ側の端部との間に引張りバネ２０を掛け、商品引出し具５を引き出し商品３を前出しした後、手指を放せば引張りバネ２０のばね力により商品引出し具５を元に戻せる点で、仕切り板３１と異なる。仕切り板３１ｂは、図８の棚板２の左端に設置するもので、仕切り板３１から商品引出し具５を除いたもので、水平板３０の端部に棚板２上の凹溝板３３に嵌めることのできる不図示の突起が設けられている。その他の構成、作用は図１〜３の実施形態と同様なので、図面に符号を付して説明を省略する。
【００３０】
図１０は図８、９に示す実施形態の変形を示すもので、図８、９の商品落下防止具１７ａと凹溝板３３とを合体させて商品落下防止具３５とし、この商品落下防止具３５を長溝３４に嵌めたものである。図１１は図８、９に示す実施形態の変形を示すもので、仕切り板３１の端部に商品落下防止具１７を設け、これの下端部を長溝３４に嵌めたものである。
【００３１】
なお、下端に水平板３０を設けて自立型の仕切り板３１を有する商品陳列具８は、図８〜１１の実施形態以外に、図１の仕切り板４ａのように、水平板３０にマグネット板を設けたものでも良いし、図４のように、棚板２上面にピッチ板を設け、そのピッチ板に水平板３０の裏面にある突起を差し込んでも良い。また、商品陳列具８は、図５のように、棚板２上面のピッチ穴２２に、水平板３０の裏面に設けた突起を差し込んでも良く、図６のように、仕切り板３１の端部に設けた係合片を、棚板２の商品取出部位Ｇにおける反対側の端部２５に係合させても良い、更に、図７のように、水平板３０の両端裏面に孔２６の代わりに溝を設け、棚板２に丸棒２７の代わりに設けたバーに溝を嵌め、仕切り板３１を商品３のサイズに合わせてバー上を移動し、設置するようなものでも良い。
【００３２】
図１２、１３は図１〜３に示した仕切り板４の他の実施形態を示し、この仕切り板４０は、これを上部下部に分割し、上部仕切り板４１及び下部仕切り板４２とし、そのいずれか一方にスライド溝４３を設け相互にスライド自在にして、下部仕切り板４２は棚板２に着脱自在かつ商品３の移動方向に直交する方向に移動可能に設置すると共に、上部仕切り板４１を商品引出し具とするものである。この実施形態では下部仕切り板４２にスライド溝４３を設けてあるが、上部仕切り板４１の方にスライド溝４３を設けても良い。そして、上部仕切り板４１に押し板１６及び凹み１５を設けてあること、下部仕切り板４２の端部に商品落下防止具１７を取り付け、その下端部に棚板２の長溝１０に沿い嵌めることのできる凸部１８が設けられていること、従って、ストッパー機構６は、押し板１６と相まって下部仕切り板４２の前端部に設けた商品落下防止具１７により構成されることとした点は、図１〜３に示した仕切り板４と同じである。
【００３３】
なお、この仕切り板４０は、その下端に水平板を設け自立型としても、また、そのストッパー機構が、棚板２の前方端部に設けた商品落下防止具１７ａと押し板１６とで構成しても差し支えない。そして、この仕切り板４０は、二分割構成としたこと以外、上記の仕切り板４、４ａ、４ｂ、４ｄ〜４ｇ、３１と同じであるから、これらにおけるのと同様な実施形態及びその変形を取ることが出来、これらも本発明の範囲である。
【００３４】
また、本発明において、ストッパー機構の他の形態としては、商品引出し具と該商品引出し具が嵌められるスライド溝で構成されるものでもよい。すなわち、商品引出し具のスライド溝側に長溝を設け、他方、スライド溝の前方部には該長溝に係合し該長溝の深さに相当する突起を設ければよい。これにより、長溝の切れ端部と突起が当接することにより該商品引出し具は停止する。
【００３５】
以上、本発明の実施形態を説明したが、具体的な構成はこれに限定されず、本発明の要旨を逸脱しない範囲での変更、追加は本発明の範囲内である。
【００３６】
【発明の効果】
以上詳述したように、請求項１の発明によれば、棚板上に載せる商品のサイズに合わせて仕切り板を移動して設置し、仕切り板に設けた商品引出し具を手前に引けば商品を前出しでき、ストッパー機構により商品引出し具は商品取出部位近傍で停止するから脱落しない。従って、様々な商品サイズに対応出来、棚板上の商品がバラバラになったり、商品と共に構成部品が棚等から脱落する様なことがなく、商品を手動で確実に前出しすることができ、しかも保有あるいは在庫管理をすべき構成品の種類が少なくて済む効果がある。
【００３７】
請求項２の発明によれば、上記効果に加え、仕切り板のスライド溝内に商品引出し具を嵌めてあるから、これを引き出すことにより商品を確実に前出しすることが出来る。また、断面形状が略Ｉ字状で薄いため、所謂一枚板に商品仕切り機能と商品前出し機能が付与されたこととなり、構造が簡易にして且つ棚上の商品陳列容積を大きくできる。
【００３８】
請求項３の発明によれば、上記効果に加え、仕切り板の一部を商品引出し具として機能させても、商品を確実に前出しすることが出来る。
【００３９】
請求項４の発明によれば、上記効果に加え、仕切り板を自立型としたから仕切り板の振れが無くなって設置し易くなり、商品を安定、確実に前出しすることが出来る。
【００４０】
請求項５の発明によれば、上記効果に加え、下部仕切り板を自立型としても、振れが無くなって設置し易くなり、商品を安定、確実に前出しすることが出来る。
【００４１】
請求項６の発明によれば、商品引出し具を引き出した際、棚板の商品取出部位に設けた商品落下防止具に当たり、それ以上引き出せないから商品引出し具を脱落させない。従って、上記効果に加え、勢い良くあるいは不用意に商品引出し具を引き出しても、商品のみならず商品引出し具も脱落させず、落下による怪我や破損を防ぐことが出来る。
【００４２】
請求項７の発明によれば、商品引出し具を引き出した際、仕切り板に設けた商品落下防止具に当たり、それ以上引き出せないから商品引出し具を脱落させない。従って、上記効果に加え、勢い良くあるいは不用意に商品引出し具を引き出しても、商品のみならず商品引出し具も脱落させず、落下による怪我や破損を防ぐことが出来る。
【００４３】
請求項８の発明によれば、下部仕切り板に設けた商品落下防止具によっても、商品引出し具を脱落させない。従って、上記効果に加え、勢い良くあるいは不用意に商品引出し具を引き出しても、商品のみならず商品引出し具も脱落させず、落下による怪我や破損を防ぐことが出来る。
【００４４】
請求項９の発明によれば、商品引出し具を引き出して商品を取り出した後、商品引出し具を放すだけで元に戻る。従って、上記効果に加え、商品引出し具を引き出したままの状態が無くなり、この状態によるトラブルを未然に防ぐことが出来る。
【図面の簡単な説明】
【図１】本発明の実施形態である商品陳列具を示す斜視図。
【図２】商品陳列具を構成する仕切り板を示す斜視図。
【図３】図２のＡ−Ａ線に沿う断面図。
【図４】本発明の他の実施形態である商品陳列具を示す斜視図。
【図５】本発明の他の実施形態である商品陳列具を示す斜視図。
【図６】本発明の他の実施形態である商品陳列具を示す斜視図。
【図７】本発明の他の実施形態である商品陳列具を示す斜視図。
【図８】本発明の他の実施形態である商品陳列具を示す斜視図。
【図９】本発明の他の実施形態である商品陳列具の一部を示す断面図。
【図１０】本発明の他の実施形態である商品陳列具の一部を示す断面図。
【図１１】本発明の他の実施形態である商品陳列具の一部を示す断面図。
【図１２】本発明の他の実施形態である商品陳列具を構成する仕切り板を示す斜視図。
【図１３】図１２のＤ−Ｄ線に沿う断面図。
【図１４】従来例を示す斜視図。
【図１５】従来例を示す側面図。
【図１６】従来例を示す斜視図。
【図１７】従来例を示す断面図。
【符号の説明】
１、１ａ、１ｂ、１ｃ、１ｄ、８、５６、６２、６４、６８  商品陳列具
２、５８                棚板
２ａ                    表示部
３、５２                商品
４、４ａ、４ｂ、４ｃ、４ｄ、４ｅ、４ｆ、４ｇ、３１、３１ａ、３１ｂ
４０、５７              仕切り板
５、６３                商品引出し具
６、６ａ                ストッパー機構
１０、３４              長溝
１１                    切欠
１２                    平板
１３、５９              スライド溝
１４                    バー
１５                    凹み
１６、１６ａ、６０      押し板
１７、１７ａ、３５      商品落下防止具
１８                    凸部
１９                    マグネット板
２０                    引張りバネ
２１                    ピッチ板
２１ａ                  ピッチ
２２                    ピッチ穴
２３                    突起付き板
２４                    係合片
２５                    端部
２６                    孔
２７                    丸棒
３０                    水平板
３２                    突起
３３                    凹溝板
４１                    上部仕切り板
４２                    下部仕切り板
５０                    商品陳列ケース
５１                    商品陳列棚
５３                    収納ケース
５４                    ローラ
５５                    扉
５８ａ                  底板
６１                    爪片
６５                    Ｌ型仕切り板
６６                    案内板
６７                    衝合片
Ｇ                      商品取出部位
【図１】
0004169835.tif 000002
【図２】
0004169835.tif 000003
【図３】
0004169835.tif 000004
【図４】
0004169835.tif 000005
【図５】
0004169835.tif 000006
【図６】
0004169835.tif 000007
【図７】
0004169835.tif 000008
【図８】
0004169835.tif 000009
【図９】
0004169835.tif 000010
【図１０】
0004169835.tif 000011
【図１１】
0004169835.tif 000012
【図１２】
0004169835.tif 000013
【図１３】
0004169835.tif 000014
【図１４】
0004169835.tif 000015
【図１５】
0004169835.tif 000016
【図１６】
0004169835.tif 000017
【図１７】
0004169835.tif 000018